(57)【特許請求の範囲】
【請求項１】
必要情報を入力する入力手段及び取引内容若しくは操作案内を表示する表示部を有する携帯型の入力パッドと、取引相手が所有するＩＣカードのリードライトを行うと共に、携帯を可能とするための電池を内蔵して前記入力パッドを着脱自在に装着するリーダライタと、電源を内蔵してホストコンピュータと通信可能であると共に、初期設定等に必要な情報を読込むためのマスタカード用ＩＣカードリーダライタ部を有し、前記リーダライタを着脱自在に装着する据え置き部とを具備し、一体型として前記据え置き部、リーダライタ、入力パッドの順に積層可能であり、利用形態に応じて前記入力パッド、リーダライタ及び据え置き部の接続配置関係を前記入力パッドのみ分離、或は前記リーダライタに前記入力パッドを装着した状態で前記据え置き部と分離することができるようにしたことを特徴とする多用途ＩＣカード端末装置。
【請求項２】
更に前記据え置き部に接続されたプリンタを具備した請求項１に記載の多用途ＩＣカード端末装置。
【請求項３】
前記ＩＣカードに対する処理を、定額減算方式、ＰＯＳ端末方式、精算機端末方式、又はＩＣカード専用レジスタ方式のいずれかを選択して行い得るようになっている請求項１に記載の多用途ＩＣカード端末装置。
【請求項４】
前記ＰＯＳ端末方式、精算機端末方式、又はＩＣカード専用レジスタ方式の場合に、前記入力手段で割勘処理を指示することにより各自金額申告制、人数均等割り制又は前記各自金額申告制、人数均等割り制の組み合わせの割勘処理を行い得るようになっている請求項３に記載の多用途ＩＣカード端末装置。
【請求項５】
請求項１に記載の多用途ＩＣカード端末装置が前記ホストコンピュータと通信するに際して、乱数とキーとの関係で暗号化及び復号化を行うようになっていることを特徴とする多用途ＩＣカード端末装置。
【発明の詳細な説明】
【０００１】
【発明の属する技術分野】
本発明は、電子マネーの運用等で用いられるＩＣカードを複数タイプの代金精算システムに利用できるようにした多用途ＩＣカード端末装置の構成に関する。
【０００２】
【従来の技術】
従来ＩＣカードを代金精算システムに用いる場合には、特開平５−３２４９９７号公報に示される携帯用ターミナルがあり、ＩＣカードリーダライタ、操作部、表示部、印字部、外部との光通信インタフェースを持ち、ホストコンピュータには店舗端末装置を経由して接続されるようになっている。店員が入力する売り上げ金額等の販売情報を携帯ターミナルが記憶し、挿入された顧客のＩＣカードから売り上げ金額を減算することができる。そして、記憶している複数の取引情報を店舗端末装置又はホストコンピュータに伝送することができる。
【０００３】
また、特開平９−２０４３８２号公報で示されように、携帯用端末装置とその機能を拡張するためのＩ／Ｏ（入出力）ボックスが提案されている。携帯端末装置に備えられているＣＰＵの制御下で、Ｉ／Ｏボックスの印字動作やホストコンピュータ等への通信動作を制御し、その際には、両者の通信は赤外線通信で行われるようになっている。この携帯用端末装置は、Ｉ／Ｏボックス内に専用のＣＰＵを搭載しておらず、携帯端末側のＣＰＵによって各種処理を制御するようになっている。上記公報の従来技術欄にも記載されているように、従来携帯端末装置は内蔵する各種プログラムによってデータ処理すると共に、Ｉ／Ｏボックスに載置された場合には、Ｉ／Ｏボックスに内蔵されているＣＰＵに対してデータを送り、各種処理をさせるものとなっていた。
【０００４】
更に、特開平１−１１３８６２号公報には、売り上げ登録端末機が互いにＬＡＮ（Ｌｏｃａｌ  Ａｒｅａ  Ｎｅｔｗｏｒｋ）で接続されており、このＬＡＮと同一若しくは異なるＬＡＮを介して相互に接続された複数のカード決済端末機が説明されている。
【０００５】
【発明が解決しようとする課題】
しかしながら、上記代金精算システムでは携帯用ターミナルの使用形態が一定であり、複数の使用形態に亙って使用することが困難であった。カフェテリア形式のセルフサービスの食堂などの社員食堂を例にとると、メニュー単品をトレイに載せる際に、定額の金額をプリペイドＩＣカードから減算するようにしている。また、大きな食堂であれば、支払場所が異なるようにする場合もある。更に、セルフサービスのみではなく、通常のウエイタやウエイトレスがいる喫茶室がある場合には、食事テーブルにて支払を済ますといった場面もある。このような食堂では、通常それぞれの精算スタイルに応じてそれぞれの精算機を用意しておくことになるが、店のレイアウトの変更を行った場合には精算機が足りなくなったり、余ったりして投資効率が悪いといった問題がある。
【０００６】
本発明は上述のような事情によりなされたものであり、本発明の目的は、ＩＣカードを多目的に多様な形態で使用する場合にも容易に対応可能な多用途ＩＣカード端末装置を提供することにある。
【０００７】
【課題を解決するための手段】
本発明は、ＩＣカードを用いた電子マネーシステムの端末として用いる多用途ＩＣカード端末装置に関するものであり、本発明の上記目的は、必要情報を入力する入力手段及び取引内容若しくは操作案内を表示する表示部を有する携帯型の入力パッドと、取引相手が所有するＩＣカードのリードライトを行うと共に、携帯を可能とするための電池を内蔵して前記入力パッドを着脱自在に装着するリーダライタと、電源を内蔵してホストコンピュータと通信可能であると共に、初期設定等に必要な情報を読み込むためのマスタカード用ＩＣカードリーダライタ部を有し、前記リーダライタを着脱自在に装着する据え置き部とを具備し、一体型として前記据え置き部、リーダライタ、入力パッドの順に積層可能であり、利用形態に応じて前記入力パッド、リーダライタ及び据え置き部の接続配置関係を前記入力パッドのみ分離、或は前記リーダライタに前記入力パッドを装着した状態で前記据え置き部と分離するようにすることによって達成される。
【０００８】
また、前記据え置き部にプリンタを接続することにより、更には前記ＩＣカードに対する処理を定額減算方式、ＰＯＳ端末方式、精算機端末方式、又はＩＣカード専用レジスタ方式のいずれかを選択して行い得るようにすることによって、より効果的に達成される。更に、前記ＰＯＳ端末方式、精算機端末方式、又はＩＣカード専用レジスタ方式の場合に、前記入力手段で割勘処理を指示することにより各自金額申告制、人数均等割り制又は前記各自金額申告制、人数均等割り制の組み合わせの割勘処理を行い得るようにすることによって、より効果的に達成される。そして、多用途ＩＣカード端末装置が前記ホストコンピュータと通信するに際して、乱数とキーとの関係で暗号化及び復号化を行うようにし、更に指定された時刻になったか否かを判定する計時手段を設け、前記計時手段が設定され開始指定時間となった場合；前記計時手段が設定されておらず、上位コマンドからの起動コマンドを受信した場合；前記上位コマンドから起動コマンドを受信しないで、運用の開始及び終了を設定するための店舗用カードによる起動の場合；のそれぞれのモードに応じた条件で起動するようにすることによって、より効果的に達成される。
【００１０】
【発明の実施の形態】
本発明の多用途ＩＣカード端末装置は、ＩＣカードを使用した電子マネーの取引きで、それぞれの利用形態及び用途に応じて装置構成及び演算方式のアプリケーションを自由に選択し、その選択された組み合わせにより多様な利用用途に応じて最適な使い方を提供し、これにより顧客の殆どのニーズに対応可能なようにしている。本発明の多用途ＩＣカード端末装置によれば単品リーダとしての利用、ＰＯＳレジ端末としての利用、自動精算機としての利用等が可能である。
【００１１】
以下に本発明の実施の形態を、図面を参照して説明する。
【００１２】
図1は、本発明による多用途ＩＣカード端末装置の外観構成例を示しており、矩形プレート状の入力パッド１０には必要な情報やデータ等を入力するためのテンキーやファンクションキー等で成る入力手段１１と、取引内容及び操作案内を表示するための例えば液晶で成る表示部１２とが設けられている。１３は、入力パッド１０とリーダライタ２０とを分離させた場合に使用するライン接続用のコネクタである。入力パッド１０の底面には、挿入されたＩＣカードのデータを読取ったり、必要なデータを書込んだりするための、同様の矩形プレート状のリーダライタ２０が装着されており、その側面にはＩＣカードを挿入するためのＩＣカード挿入口２１が設けられており、ＩＣカードの差込み入力に対して自動（電動）又は手動（手差し／ソレノイド排出）を選択して利用できるようになっている。つまり、自動型のリーダライタ２０では、ＩＣカード挿入口２１の所定位置まで差し込まれたＩＣカードを内部に自動的に取込んで処理し、その処理後に所定位置まで自動的に排出するようになっており、手動型のリーダライタ２０では、ＩＣカードをＩＣカード挿入口２１より処定位置まで深く差込み、その位置で処理が終了したときにソレノイドにより押し出させて排出するものであり、かかる自動／手動の２種類の同外形のリーダライタ２０が顧客の選択肢として用意されている。２３はライン接続用のコネクタであり、コネクタ１３及び２３を通信ラインで接続できるようになっている。
【００１３】
リーダライタ２０は台状の据え置き部３０に載置され、その側面には管理者等のマスターカードを挿入するためのカード挿入口３２が設けられており、更に据え置き部３０からホストコンピュータ（サーバ）にオンラインで接続されている。また、据え置き部３０の他端部にはジャーナルプリンタ４０が連結されると共に、このジャーナルプリンタ４０には更にレシート発行部５０が接続されている。ジャーナルプリンタ４０は上部のカバー４１が開閉可能になっていると共に、カバー４１に設けられている開口部４２からジャーナルを取り出せるようになっている。また、レシート発行部５０で発行されたレシートは、発行口５１から出力され顧客等に渡されるようになっている。尚、図１は本発明の全ての構成要素を組み合わせ結合した例を示しているが、全ての構成要素を適宜分離して用いることができる。
【００１４】
図２は入力パッド１０の外観構成例を示しており、入力手段１１にはテンキー、機能拡張用のファンクションキー、１文字消去する訂正キー、割勘で支払うための割勘キー、登録／入力キー、入力金額及び項目の確定を行う合計／実行キー、１行消去するクリアキー、中止キー等が設けられている。また、表示部１２の上部には、装置の処理状況をランプ点灯とメッセージで分かり易く案内する案内部１４が設けられている。
【００１５】
図３は多用途ＩＣカード端末装置の構成要素の分離、結合の様子を示しており、入力パッド１０とリーダライタ２０とは分離、結合されるようになっており、本例ではコネクタ２２を介して通信、つまり入力パッド１０とリーダライタ２０とを一体化して使用するようになっているが、コネクタ１３及び２３を通信ラインで接続して入力パッド１０とリーダライタ２０とを分離して使用することも可能である。リーダライタ２０は据え置き部３０から取り外せるようになっており、リーダライタ２０と据え置き部３０とは光通信で通信するようになっており、据え置き部３０のコネクタ３３からリーダライタ２０に電源を供給するようになっている。また、ジャーナルプリンタ４０と据え置き部３０とは分離、結合されるようになっており、レシート発行部５０もジャーナルプリンタ４０から分離されるようになっている。ジャーナルプリンタ４０は取引ログの印字、エラーログの印字、データ通信ログの印字、取引集計ログの印字等を行う。
【００１６】
本装置で使用するＩＣカードは、認証カード、店舗カード、個人カード、ログカード、マスターカード及びメンテカードの６種類である。認証カードは装置の認証、機器設定の保持に使用され、店舗カードは運用開始、終了等の動作を可能にするものであり、個人カードは取引きした個人情報を保持するＩＣカードである。また、ログカードは取引ログを保持し、マスターカード及びメンテカードはＲＡＳ（Ｒｅｌｉａｂｉｌｉｔｙ  Ａｖａｉｌａｂｉｌｉｔｙ  Ｓｅｒｖｉｃｅａｂｉｌｉｔｙ）を起動するために使用するものである。マスターカードは装置に電源が投入された時に読出され、運用モードを決定する。マスターカードは、唯一据え置き部３０のカード挿入口３２に挿入されるカードである。
【００１７】
図４は本発明端末装置の内部構成例を示しており、入力パッド１０は入力部１１及び表示部１２を制御するＣＰＵ等で成る制御部１５で成っており、リーダライタ２０は据え置き部３０からの電源受け取り端子付き電源装置２４と、自動又は手動で挿入されたＩＣカードのリードライト処理を行うリーダライタ部２５と、入力パッド１０との間で通信を行うと共に、リーダライタ部２５を制御するＣＰＵ等で成る制御部２６とで構成されている。電源装置２４は据え置き部３０と分離したときの電源であり、据え置き部３０に載置されているときに充電される。また、据え置き部３０は、リーダライタ２０の電源装置２４を充電し、各部に電力を供給する電源装置３４と、挿入されたＩＣカードをリードライト処理するリーダライタ部３５と、全体の制御を行うＣＰＵ等で成る制御部３６と、各種通信等を行うインタフェース部３７とで構成されている。インタフェース部３７には、電源供給端子、ＬＡＮ接続部、精算機に接続するためのＲＳ２３２Ｃ端子、ＰＯＳ（Ｐｏｉｎｔ  Ｏｆ  Ｓａｌｅｓ）端末に接続するためのＲＳ２３２Ｃ端子、電話回線を利用してホストコンピュータに接続するためのモデム接続用ＲＳ２３２Ｃ端子、ジャーナルプリンタやプリンタに印字出力するためのプリンタポート等が設けられている。
【００１８】
上述のように構成される本発明の多用途ＩＣカード端末装置は、サーバに接続された場合にはサーバから装置の運用条件を受信し、初期設定を行う。また、装置の運用状況や取引情報をサーバに送信し、サーバより端末装置のソフトウエアの更新を行い、ＩＣカードのブラックリストの受信や運用／終了の指示を受ける。
【００１９】
そして、本発明の多用途ＩＣカード端末装置は形態として図５に示すような一体型筐体で使用する形態（以下、利用形態♯１とする）、入力パッド１０及びリーダライタ２０を一体として据え置き部３０（ジャーナルプリンタ４０及びレシート発行部５０はなし）から分離して使用する形態（以下、利用形態♯２とする）、この利用形態♯２にジャーナルプリンタ４０（及びレシート発行部５０）を接続した携帯型ジャーナル付きの形態（以下、利用形態♯３とする）、入力パッド１０だけを分離し据え置き部３０にはリーダライタ２０が取り付けられている形態の入力パッド分離型の形態（以下、利用形態♯４とする）、この利用形態♯４にジャーナルプリンタ４０（及びレシート発行部５０）を接続した携帯型ジャーナル付きの形態（以下、利用形態♯５とする）があり、利用形態♯２乃至利用形態♯５については、カードリーダ２０について前述した手動式又は電動式を選択して使用できる。
【００２０】
利用形態♯１は、食堂やレストラン等に固定して設置しておき、利用者（顧客）がＩＣカードを挿入して利用するような場合に便利であり、図５ではカード挿入口１からＩＣカードを挿入し、処理内容等が表示部２に表示されるようになっている。尚、本例では図５の一体型筐体で使用する例を挙げて説明しているが、美観と機能を無視すれば、図１のような構成で設置することも可能である。利用形態♯１は通常定額減算型の精算装置であり、サーバより予め設定された定額を利用者のＩＣカードが挿入される度毎に減算して、当該ＩＣカードを放出する。内蔵するメモリ部にＩＣカードを特定するＩＤを日付時刻と共に記憶しておき、必要な操作をすることにより、プリンタに取引ログを打ち出したり、ジャーナル出力をさせることができる。予め行う設定は事務所内でホストコンピュータに接続することによりできるし、設置場所で手入力により行うことができる。レシート発行部５０を付属させておくことにより、利用に際して、その場でレシートを発行して渡すことができる。図７は定額減算方式によるシステムの一例を示しており、ＩＣカードが挿入されたときに、該当ＩＤのＩＣカードが使用できるかどうかのチェックをサーバに逐次行っており、売り上げ状況も逐次サーバに送られることになる。尚、簡単なシステムでは、１日の売り上げ何件で合計金額いくらといった情報のみが必要で、レシート用紙に印字させるか、ログ用のＩＣカードにデータを書込ませるのみで１日の売り上げ集計は十分である。通常定額減算型の精算装置の場合は、暗証番号入力を行うと時間がかかり顧客の待ち行列ができることが多いが、減算する金額が小額であるので暗証番号の入力照合は省略している。
【００２１】
利用形態♯２はＰＯＳレジ端末の子端子として従属接続されるもので、ＰＯＳレジで精算された合計金額を挿入されたＩＣカードから減算するもので、毎回減算金額が変わる点で利用形態♯１と異なる。減算した後は、減算したという通知をＩＣカード端末装置からＰＯＳ端末機に行うことによって、ＰＯＳ端末機側は商品券或は小切手で支払われた場合と同じ現金外処理として、指定金額のみ引き落としの会計を行うことができる。メモリ部に記憶されて、利用形態♯１で述べた取引ログの打ち出し等ができる。この場合のレシート発行は、ＰＯＳ端末機側で行われるのが普通である。
【００２２】
利用形態♯３は、別途会計計算が済まされてＩＣカードによる精算金額の支払を行う場合である。ＩＣカードをＩＣカード端末装置に挿入すると請求金額が表示され、利用者がパスワードを入力して確認して後に引き落とされることになる（パスワード確認をしない場合もある）。この場合も、メモリ部に記憶されて利用形態♯１で述べたような取引ログの打ち出し等ができる。レシートプリンタが付いていれば、支払と同時にレシートに印字もでき、この後に割勘処理を行うこともできる。
【００２３】
利用形態♯４は、ＩＣ端末装置のみで会計計算と支払を済ませてしまう場合である。先ず店員が利用明細金額を入力パッド１０に入力し、合計額を印字させたときにＩＣカードを顧客から預かってリーダライタ２０に挿入し、利用者に入力パッド１０を渡して暗証番号を入力してもらう場合である。この場合には、レシート発行部５０及びジャーナルプリンタ４０が接続されているのが普通で、顧客に対してレシートの配布が行われる。この後、割勘処理を行うこともできる。
【００２４】
利用形態♯５はＩＣ端末装置がオーダ入力端末と兼用になっている場合であり、店員は入力パッド１０とリーダライタ２０とを１つにして持ち運び、顧客の面前で利用客のメニューを入力し、顧客のＩＣカードを預かって目の前で減算させるもので、この後に割勘処理を行うこともできる。
【００２５】
上述のような利用形態において、ＩＣカード端末装置は図６の状態遷移図に示すように、先ず電源が入れられるとマスターカードの挿入待ちとなり、この状態でマスターカードが挿入されると種々の設定処理が開始される。開始コマンドを外部のＰＯＳ端末機或は精算機から受け取る以前に、サーバよりＩＣカードの使用可否のデータ（ホワイトデータ（使用可能カードのデータ）、ブラックデータ（使用不可カードのデータ））をダウンロードしてもらって設定すると共に、現在時刻を上位（サーバ）からもらって設定し、外部精算機又はＰＯＳより必要な状態通知コマンドを受けて上位に送る。次いで運用開始コマンド或は手動で運用モードに設定した場合は、上位側からＩＣカード受付のコマンドを受けた後にカード待ち状態となり、ＩＣカードが挿入されるとカードチェックを行い、ＮＧの場合は強制排出してコマンド待ち状態（アイドル状態）となり、ＯＫの場合は減算のコマンドを受けてＩＣカードのデータを書き換える。そして、カード返却コマンドによりＩＣカードを返却し、アイドル状態となる。また、減算処理までに強制返却のコマンドを受けた場合には、ＩＣカードを返却してアイドル状態に戻る。アイドル状態において、上位からの終了命令、手動での終了操作により運用開始状態に戻る。
【００２６】
次に、本発明ではＩＣカードに対して、更新する金額データ等の入力が主としてどのような取引によって行われるかによって定額減算方式、ＰＯＳ端末方式、精算機端末方式、ＩＣカード専用レジスタ方式及びＲＡＳ機能の５種類を用意している。定額減算方式は、予め装置に設定された金額を取引の都度減算するものであり、設定方法としては上位コントローラからＬＡＮ回線を使用してダウンロードするか、価格設定カード、入力手段１１のテンキーによる設定も可能である。定額減算方式は、例えば学生食堂や社員食堂でＡランチは４００円、Ｂランチは５５０円、Ｃランチは６２０円とかいった場合に、各トレイを取る場所でＩＣカードを通して迅速に支払を済ますような仕様に適している。また、ＰＯＳ端末方式はＰＯＳレジより伝送された金額を減算するようになっており、接続はＲＳ２３２又はＲＳ４２２／４８５のいずれかが選択可能であり、スーパー等のレジで購入品の計算が終了した時点で要求された金額をＩＣカードから引き落とすような仕様に適している。精算機端末方式も同様に、精算機より伝送された金額を減算するようになっている。ＩＣカード専用レジスタ方式は、ＩＣカード端末装置をレジスタとして使用し、入力手段１１のテンキーより入力された金額を減算するものであり、店員等が入力パッド１０又は入力パッド１０、リーダライタ２０の携帯部を携帯して店内を移動するような仕様に適している。ＲＡＳ機能は、装置の機器設定、動作確認を行うものである。
【００２７】
図７は、定額減算方式でのＩＣカード端末装置とサーバ，プリンタとの接続関係を示しており、サーバは取引ログ、ブラックリスト等の管理を行い、ＬＡＮ若しくはモデムで通信するようになっており、プリンタはジャーナルの印字を行う。また、図８は管理者（ＩＣカード端末装置）及び顧客（利用者）との間の情報の授受関係を示している。顧客が携帯部のリーダライタ２０のカード挿入口２１に自分の個人カードを挿入すると、リーダライタ２０はその個人カードが正当であれば、予めサーバ若しくはＲＡＳ機能で設定されている定額を減算し、減算後の残高を個人カードに書き込んで、装置はカードからの減算を確認後取引ログを作成し、カード挿入口２１から個人カードを排出する。その後、顧客は個人カードを抜き取り、装置はカード抜き取りを確認後、取引ログを保存する。
【００２８】
図９は、ＰＯＳレジ端末方式でのＩＣカード端末装置とサーバ、プリンタ及びＰＯＳレジとの接続関係を示しており、管理者及び顧客との間の情報の授受は図１０のようになっている。ＰＯＳレジは、通信機能によって端末装置をＰＯＳレジ端末として使用する場合の装置である。即ち、顧客が携帯部のリーダライタ２０のカード挿入口２１に個人カードを挿入すると、その個人カードが正当であればＰＯＳレジからの減算額を待ち、管理者がＰＯＳレジに金額を入力することにより、減算後の残高を個人カードに書込んで排出する。顧客が個人カードを抜き取ると、カード抜き取り確認後に取引ログを保存する。
【００２９】
図１１は、精算機端末方式でのＩＣカード端末装置と精算機、プリンタ及びサーバとの間の接続関係を示しており、図１２は顧客と管理者との間の情報の授受を示している。即ち、顧客が携帯部のリーダライタ２０のカード挿入口２１に個人カードを挿入すると、その個人カードが正当であれば精算機からの減算額の入力を待ち、管理者は精算機に金額を入力することにより、減算後の残高を個人カードに書き込んで排出する。顧客が個人カードを抜取ると、カード抜取り確認後に取引ログを保存する。
【００３０】
図１３は、ＩＣカード専用レジスタ方式でのＩＣカード端末装置とサーバ及びプリンタとの間の接続関係を示しており、図１４は顧客と管理者との間の情報の授受を示している。即ち、顧客が携帯部のリーダライタ２０のカード挿入口２１に個人カードを挿入し、入力パッド１０の入力手段１１より暗証番号を入力して後に金額を入力し、その入力金額の減算後の残高を個人カードに書込んで、取引ログを作成して排出する。そして、顧客が個人カードを抜取ると、そのカード抜取りの確認後に取引ログを保存するが、割勘処理の場合は次のカードの入力を要求して初期状態に戻る
装置の機器設定や動作確認を行うＲＡＳ機能の場合は、図１５に示すようにサーバ及びプリンタに接続すれば良い。
【００３１】
本発明では割勘による支払を可能としており、割勘の方式として、１）各人が割勘負担分を端末に入力して電子マネーを支払う各自金額申告制と、２）支払残額を人数割りした額を端末で算出して電子マネーを支払う人数均等割り制と、３）上記各自金額申告制と人数均等割り制との組み合わせ式である組み合わせ割勘制とがある。請求金額を確定した後に携帯部を顧客に渡すことになるため、顧客の操作ミス等で請求額が変わらないように、携帯部を外した状態で請求額の変更ができないようになっている。
【００３２】
割勘処理は図１６に示すフローチャートに従って行われ、総支払額の確定（ステップＳ１）の後に入力手段１１の割勘キーを押下すると（ステップＳ２）、各自金額申告制と人数均等割り制、割勘取消しの選択モードとなる（ステップＳ３）。このモード選択で各自金額申告制を入力手段１１で選択すると、ＩＣカードを挿入し（ステップＳ１０）、金額を入力し（ステップＳ１１）、更に暗証番号を入力し（ステップＳ１２）、その後に実行キーを押下するとデータが更新され（ステップＳ１４）、残金があればステップＳ３にリターンして上記動作を繰り返す（ステップＳ１５）。残金がなければ支払処理の終了となる。また、モード選択で人数均等割り制を選択した場合には、先ず人数を入力し（ステップＳ２０）、表示部１２に金額を表示し（ステップＳ２１）、ＩＣカードを挿入し（ステップＳ２２）、暗証番号を入力し（ステップＳ２３）、その後に実行キーを押下するとデータが更新され（ステップＳ２５）、均等割りの人数分だけ上記ステップＳ２１以降の動作が繰り返される（ステップＳ２６）。更にモード選択で割勘取消を選択した場合には、先ずＩＣカードを挿入し（ステップＳ３０）、表示部１２に残高を表示し（ステップＳ３１）、暗証番号を入力し（ステップＳ３２）、その後に実行キーを押下する（ステップＳ３３）とデータが更新されて（ステップＳ３４）、取消処理が終了する。
【００３３】
本発明では、ＩＣカード端末装置の状態監視機能と、ＩＣカード端末装置への情報通信機能と、ＩＣカード端末装置からのデータ受信機能と、動作時のセキュリティ機能とを有している。即ち、コントローラ（サーバ）に接続されることが許可されているＩＣカード端末装置が１台も接続状態にない場合、セキュリティ機能は起動時にシステムパスワードを要求する。これは、セキュリティ機能が通常のロケーションで使用されなかった場合、例えばコントローラソフトのみのコピーや装置の持ち出し時等に動作分析や不正処理の組み込みがなされないように保護するためである。許可されているＩＣカード端末装置が１台でも接続されている場合は、ユーザの利便性を優先して動作を開始する。ＩＣカード端末装置は携帯機能や停電時の取引保証のためにバッテリを搭載しており、充電／リフレッシュ再充電を行うため、電源は２４時間通電としている。ＬＡＮにてログ通信を行う場合、ソケット通信のためのコネクションはＩＣカード端末装置より張るが、これはＩＣカード端末装置をクライアント、コントローラをサーバとして位置付けたことによる。
【００３４】
一方、ＩＣカード端末装置との通信時のセキュリティは、端末装置より電文を受信する際、受け取って良い相手か送って良い相手かどうかを相互に確認する必要がある。図１７はかかる通信時のセキュリティ機能を示しており、互いに乱数を発生させ、特定キー１で暗号化した内容を送信し、受け取った方は特定キー１で復号し、特定キー２で暗号化して返信し、特定キー２で復号して一致するか否かを確認する。これにより、ＩＣカード端末装置からみてサーバの「なりすまし」、サーバからみてＩＣカード端末装置の「なりすまし」を防止できる。このときの特定キー１，２は予め設定されている。
【００３５】
図１８及び図１９はその詳細をＩＣカード端末装置及び上位サーバの区分に従って示しており、上位サーバへの接続処理（ステップＳ４０）の後にＯＫか否かを判断し（ステップＳ４１）、ＯＫの場合には乱数Ａを発生し（ステップＳ４２）、乱数Ａをキー１で暗号化して暗号化乱数Ａとし（ステップＳ４３）、上位サーバに暗号化乱数Ａを送信する（ステップＳ４４）。上位サーバは暗号化乱数Ａを受信した後（ステップＳ４５）、暗号化乱数Ａをキー１で復号化して乱数Ａを得（ステップＳ４６）、乱数Ａをキー２で暗号化して暗号化乱数Ｂを得る（ステップＳ４７）。上位サーバは暗号化乱数ＢをＩＣカード端末装置に送信し（ステップＳ４８）、ＩＣカード端末装置は暗号化乱数Ｂを受信した後（ステップＳ５０）、暗号化乱数Ｂをキー２で復号化し（ステップＳ５１）、暗号化して送信した元の乱数Ａと一致したか否かを判断する（ステップＳ５２）。一致しない場合にはＮＧであるので、回線切断処理を行う（ステップＳ５３）。一方、上記ステップＳ５２で一致してＯＫの場合は送信要求を上位サーバに対して出力し（ステップＳ５４）、これにより上位サーバは乱数Ｃを発生し（ステップＳ５５）、乱数Ｃをキー１で暗号化して暗号化乱数Ｃとし（ステップＳ５６）、この暗号化乱数ＣをＩＣカード端末装置に送信する（ステップＳ５７）。ＩＣカード端末装置では暗号化乱数Ｃを受信した後（ステップＳ６０）、暗号化乱数Ｃをキー１で復号化して乱数Ｃを得（ステップＳ６１）、この乱数Ｃをキー２で暗号化して暗号化乱数Ｄを得る（ステップＳ６２）。そして、ＩＣカード端末装置は暗号化乱数Ｄを上位サーバに対して送信し（ステップＳ６３）、上位サーバは暗号化乱数Ｄを受信すると（ステップＳ６４）、暗号化乱数Ｄをキー２で復号化し（ステップＳ６５）、その復号したデータが送信した乱数Ｃと一致するか否かを判断する（ステップＳ６６）。一致すればＩＣカード端末装置の運用を開始し（ステップＳ６７）、一致しなければ回線切断処理を実行する（ステップＳ６８）。
【００３６】
また、図２０は始動時の設定動作を示しており、待機モード（ステップＳ７０）の時にタイマーが設定されているか否かを判断し（ステップＳ７１）、設定されていれば開始指定時間か否かを判断し（ステップＳ７２）、開始指定時間であれば起動して（ステップＳ７３）通常運用とする（ステップＳ７４）。そして、終了指定時間となったときに停止する（ステップＳ７５）。また、上記ステップＳ７１でタイマー設定されていない場合及び上記ステップＳ７２で開始指定時間でない場合には、上位コマンドからの起動コマンドを受信したか否かを判断し（ステップＳ８０）、起動コマンドを受信したときに起動して（ステップＳ８１）通常運用とする（ステップＳ８２）。そして、上位コマンドからの終了コマンドを受信するまで通常運用を実行する（ステップＳ８３）。上記ステップＳ８０で上位コマンドからの起動コマンドを受信しない場合には、店舗カードによる起動か否かを判断し（ステップＳ８４）、店舗カードによる起動の場合には起動し（ステップＳ８５）、通常運用を店舗カードによる終了となるまで継続する（ステップＳ８７）。また、上記ステップＳ８４で店舗カードによる起動でない場合には、ステップＳ７０にリターンする。
【００３７】
図２１乃至図２３は、ＩＣカード端末装置をＩＣカード専用レジスタとして利用した場合の表示部１２の表示例を示しており、図２１に示すようにＩＣカードが挿入されると、「カードリードチュウ  シバラクオマチクダサイ」を表示する。そして、個人カードの場合には図２２のフローとなり、店舗カードの場合には図２３のフローとなる。
【００３８】
【発明の効果】
本発明のＩＣカード端末装置によれば、各利用の形態及び用途に応じて装置構成とアプリケーションを適宜選択設定することにより、同一のハードウエア資源を利用してその目的を達成することができる。また、装置の構成を据え置き部、リーダライタ、入力パッドの構成とし、据え置き部にマスターキーとなるＩＣカードを挿入しなければ装置が活性化できないし、どのようなアプリケーションに供するかも決定しないこととし、三者を常に一体に使用しなければならないにも拘わらず、各部の分離運用を可能としている。基本的には据え置き部のマスターカードを利用した設定によって複数の利用形態を選択設定でき、その利用に自由度を大きくしている。また、異なるＩＣカードを元に分割支払を行うことができるが、その際入力パッドを即座に利用者に向けることができ、非常に便利である。
【図面の簡単な説明】
【図１】本発明の一実施例を示す斜視構造図である。
【図２】入力パッドの一例を示す外観図である。
【図３】図１の展開図である。
【図４】本発明のＩＣカード端末装置の回路構成例を示すブロック図である。
【図５】本発明に用いる一体型筐体の一例を示す斜視図である。
【図６】本発明の状態遷移図である。
【図７】定額減算方式の接続例を示す結線図である。
【図８】定額減算方式の管理者と顧客との間のシーケンスを示す図である。
【図９】ＰＯＳレジ端末方式の接続例を示す結線図である。
【図１０】ＰＯＳレジ端末方式の管理者と顧客との間のシーケンスを示す図である。
【図１１】精算機端末方式の接続例を示す結線図である。
【図１２】精算機端末方式の管理者と顧客との間のシーケンスを示す図である。
【図１３】ＩＣカード専用レジスタ方式の接続例を示す結線図である。
【図１４】ＩＣカード専用レジスタ方式の管理者と顧客との間のシーケンスを示す図である。
【図１５】ＲＡＳ機能を示す結線図である。
【図１６】本発明による割勘処理の動作例を示すフローチャートである。
【図１７】本発明によるセキュリティを説明するための図である。
【図１８】本発明によるセキュリティの動作例を示すフローチャートの一部である。
【図１９】本発明によるセキュリティの動作例を示すフローチャートの一部である。
【図２０】本発明による起動の動作例を示すフローチャートである。
【図２１】本発明による表示例を示すフローチャートの一部である。
【図２２】本発明による表示例を示すフローチャートの一部である。
【図２３】本発明による表示例を示すフローチャートの一部である。
【符号の説明】
１、３２        カード挿入口
２、１２        表示部
１０            入力パッド
１１            入力手段
２０            リーダライタ
２１            ＩＣカード挿入口
３０            据え置き部
４０            ジャーナルプリンタ
５０            レシート発行部
【図１】
0003767720.tif 000002
【図２】
0003767720.tif 000003
【図３】
0003767720.tif 000004
【図４】
0003767720.tif 000005
【図５】
0003767720.tif 000006
【図６】
0003767720.tif 000007
【図７】
0003767720.tif 000008
【図８】
0003767720.tif 000009
【図９】
0003767720.tif 000010
【図１０】
0003767720.tif 000011
【図１１】
0003767720.tif 000012
【図１２】
0003767720.tif 000013
【図１３】
0003767720.tif 000014
【図１４】
0003767720.tif 000015
【図１５】
0003767720.tif 000016
【図１６】
0003767720.tif 000017
【図１７】
0003767720.tif 000018
【図１８】
0003767720.tif 000019
【図１９】
0003767720.tif 000020
【図２０】
0003767720.tif 000021
【図２１】
0003767720.tif 000022
【図２２】
0003767720.tif 000023
【図２３】
0003767720.tif 000024